(57)【要約】【課題】  支柱上下に胴縁が横架されている侵入防止用のネットフェンスを更生する際において、かかる胴縁を取り外すことなく、格子網を容易に取り付けることが可能なネットフェンスの更生方法を提供する。【解決手段】  地表に適宜間隔で複数に亘り立設された支柱１１と、立設された支柱１１の上下に横架された胴縁１２,１３とを有し、これら支柱１１並びに胴縁１２,１３に金網が既に取り付けられているネットフェンスの更生方法において、取り付けられている金網を撤去し、支柱１１に沿って上下方向に延長されてなるとともに、胴縁１２,１３の径に応じて外側に折り曲げられ、さらにその上下端が略鉛直方向に延長されてなる格子網１５を、金網を撤去した後における支柱１１並びに胴縁１２,１３に取り付ける。【選択図】図１
2006283325.tif 000002
【特許請求の範囲】
【請求項１】
地表に適宜間隔で複数に亘り立設された支柱と、
立設された上記支柱の上下に横架された胴縁と、
少なくとも上記支柱並びに上記胴縁に取り付けられる格子網とを備え、
上記格子網は、上記支柱に沿って上下方向に延長されてなるとともに、上記胴縁の径に応じて外側に折り曲げられてなること
を特徴とするネットフェンス。
【請求項２】
上記格子網は、上記胴縁の径に応じて外側に折り曲げられたその上下端がさらに略鉛直方向に延長されてなること
を特徴とする請求項１記載のネットフェンス。
【請求項３】
上記胴縁は、上記支柱前後で横架され、
上記格子網は、上記支柱前後で取り付けられてなること
を特徴とする請求項１又は２記載のネットフェンス。
【請求項４】
上記胴縁は、支柱前後で横架され、
上記支柱の前後において一対の上記格子網と金網が取り付けられてなること
を特徴とする請求項１又は２記載のネットフェンス。
【請求項５】
上記格子網の上下端は、それぞれ上記胴縁の上下端より上下方向へ突出させた高さで構成されていること
を特徴とする請求項２〜４のうち何れか１項記載のネットフェンス。
【請求項６】
上記格子網は、上下に分割されて構成されるとともに、互いに外側へ向けて直角に折り曲げられてなる連結部を有し、
上記連結部は、平板で上下から挟み込まれて固定されていること
を特徴とする請求項１〜５のうち何れか１項記載のネットフェンス。
【請求項７】
地表に適宜間隔で複数に亘り立設された支柱と、立設された上記支柱の上下に横架された胴縁とを有し、これら支柱並びに胴縁に金網が既に取り付けられているネットフェンスの更生方法において、
上記取り付けられている金網を撤去し、
上記支柱に沿って上下方向に延長されてなるとともに、上記胴縁の径に応じて外側に折り曲げられてなる格子網を、上記金網を撤去した後における支柱並びに胴縁に取り付けること
を特徴とするネットフェンスの更生方法。
【請求項８】
地表に適宜間隔で複数に亘り立設された支柱と、立設された上記支柱の上下に横架された胴縁とを有し、これら支柱並びに胴縁に金網が既に取り付けられているネットフェンスの更生方法において、
上記取り付けられている金網を撤去し、
上記支柱に沿って上下方向に延長されてなるとともに、上記胴縁の径に応じて外側に折り曲げられ、さらにその上下端が略鉛直方向に延長されてなる格子網を、上記金網を撤去した後における支柱並びに胴縁に取り付けること
を特徴とするネットフェンスの更生方法。
【請求項９】
上記格子網を上記支柱前後に取り付けること
を特徴とする請求項８記載のネットフェンスの更生方法。
【請求項１０】
地表に適宜間隔で複数に亘り立設された支柱と、立設された上記支柱の上下に横架された胴縁とを有し、これら支柱並びに胴縁に金網が既に取り付けられているネットフェンスの更生方法において、
上記支柱に沿って上下方向に延長されてなるとともに上記胴縁の径に応じて外側に折り曲げられ、さらにその上下端が略鉛直方向に延長されてなる格子網を、上記金網の反対側にある支柱並びに胴縁に取り付けること
を特徴とするネットフェンスの更生方法。
【発明の詳細な説明】
【技術分野】
【０００１】
本発明は、侵入防止用のネットフェンス並びに、ネットフェンスの侵入防止機能を強化するためにこれを更生するネットフェンスの更生方法に関する。
【背景技術】
【０００２】
他人が敷地内に無断で立ち入ることを防止する一般的な侵入防止用フェンスは、図１２に示すように、地表に適宜間隔で複数に亘り立設された支柱６１,６２と、支柱６１,６２上下に横架された胴縁６３,６４とを備え、これに金網７１を取り付けて構成している。この金網７１は、網目が菱形となるように編み込まれて構成されている。
【０００３】
しかしながら、このような金網７１は、網目に手足をかけて比較的簡単によじ登ることが可能である。このため、侵入防止機能を強化するためには、上述の如き既設の金網７１を撤去し、水平方向へ配列させた縦線材と、鉛直方向へ配列させた横線材をそれぞれ溶接させて構成したいわゆる格子網を新たに新設する必要がある。この格子網は、縦線材と横線材につき、４．５ｍｍ径の鋼線を用いるため、金網７１と比較して頑丈に構成することができる。また、この格子網は、縦線材間の間隔、横線材間の間隔を狭小にすることで、侵入者がこれを簡単によじ登ることができない構成とすることも可能となる。さらに、金網７１が取り付けられている侵入防止用フェンスでは、侵入者は、胴縁に手をかけて簡単によじ登ることができるが、格子網は、胴縁を隠すようにして伸びているため、侵入者は胴縁に手をかけるのが困難になり、簡単によじ登ることができない。
【０００４】
また、この格子網は、金網７１と比較して侵入防止用フェンスの強度そのものを大幅に向上させることができる。金網７１を張設する場合には、胴縁６３,６４のみで荷重を受けることになるが、格子網は、胴縁６３,６４のみに荷重を負担させることなく、格子網自体でも荷重を担うことでき、ひいては、強度そのものを大幅に向上させることができるからである。このため、上記支柱６１,６２並びに胴縁６３,６４に格子網を取り付けて構成することにより、例えば、誤って衝突してきた自動車に対しても対抗することが可能となる。
【０００５】
従来において、既設の金網７１を取り外して格子網を新設するフェンスの補修方法が提案されている（例えば、特許文献１参照。）。
【０００６】
このフェンスの補修方法は、地表に適宜間隔で立設された支柱とこの支柱に架設されたフェンスパネルからなる既設フェンスの支柱のみを残してフェンスパネルを除去し、既設フェンスの支柱に新設フェンスパネルを取り付ける。このとき、フェンスパネルを既設フェンスの支柱に、平面視コ字型の取付金具を介して取り付け、この取付金具中央に設けられた雌ネジ部に螺入させた雄ねじの先端に既設フェンスの支柱を押圧させ、フェンスパネルを既設フェンスの支柱に当接固定させる。これにより、取付金具中央部の雄ねじ部を締めるだけで容易に新設フェンスパネルを取り付けることが可能となる。
【特許文献１】特開２００３−９７０９９号公報
【発明の開示】
【発明が解決しようとする課題】
【０００７】
しかしながら、上記特許文献１は、あくまで支柱のみ残して既設フェンスを取り外すものである。このため、図１２に示すように、支柱６１,６２上下に胴縁６３,６４が横架されているケースにおいてこの特許文献１の開示技術を適用することはできない。
【０００８】
また、この図１２に示す侵入防止用フェンスにおいて金網７１を取り外して、格子網を取り付ける際には、胴縁６３,６４も一度取り外さなければならなかった。このため、フェンスの補修作業において余計な労力を費やさなければならず、工事全体のコストが増加してしまうという問題点もあった。
【０００９】
そこで、本発明は、上述した問題点に鑑みて案出されたものであり、その目的とするところは、侵入防止機能を強化したネットフェンスの提供、及び支柱上下に胴縁が横架されている侵入防止用のネットフェンスを更生する際において、かかる胴縁を取り外すことなく、格子網を容易に取り付けることが可能なネットフェンスの更生方法、またその更生方法によって更生されたネットフェンスを提供することにある。
【課題を解決するための手段】
【００１０】
本発明に係るネットフェンスは、上述した課題を解決するために、地表に適宜間隔で複数に亘り立設された支柱と、立設された上記支柱の上下に横架された胴縁と、少なくとも上記支柱並びに上記胴縁に取り付けられる格子網とを備え、上記格子網は、上記支柱に沿って上下方向に延長されてなるとともに、上記胴縁の径に応じて外側に折り曲げられてなる。
【００１１】
また、本発明に係るネットフェンスでは、上述した構成に加え、さらに上記格子網は、上記胴縁の径に応じて外側に折り曲げられたその上下端がさらに略鉛直方向に延長されてなる。  
【００１２】
また、本発明に係るネットフェンスの更生方法は、地表に適宜間隔で複数に亘り立設された支柱と、立設された上記支柱の上下に横架された胴縁とを有し、これら支柱並びに胴縁に金網が既に取り付けられているネットフェンスの更生方法において、上記取り付けられている金網を撤去し、上記支柱に沿って上下方向に延長されてなるとともに、上記胴縁の径に応じて外側に折り曲げられてなる格子網を、上記金網を撤去した後における支柱並びに胴縁に取り付ける。
【００１３】
さらに、本発明に係るネットフェンスの更生方法は、上述した課題を解決するために、地表に適宜間隔で複数に亘り立設された支柱と、立設された上記支柱の上下に横架された胴縁とを有し、これら支柱並びに胴縁に金網が既に取り付けられているネットフェンスの更生方法において、上記取り付けられている金網を撤去し、上記支柱に沿って上下方向に延長されてなるとともに、上記胴縁の径に応じて外側に折り曲げられ、さらにその上下端が略鉛直方向に延長されてなる格子網を、上記金網を撤去した後における支柱並びに胴縁に取り付ける。
【発明の効果】
【００１４】
本発明は、地表に適宜間隔で複数に亘り立設された支柱と、立設された上記支柱の上下に横架された胴縁とを有し、これら支柱並びに胴縁に金網が既に取り付けられているネットフェンスの更生方法において、上記取り付けられている金網を撤去し、上記支柱に沿って上下方向に延長されてなるとともに、上記胴縁の径に応じて外側に折り曲げられ、さらにその上下端が略鉛直方向に延長されてなる格子網を、上記金網を撤去した後における支柱並びに胴縁に取り付ける。
【００１５】
これにより、支柱上下に胴縁が横架されている侵入防止用のネットフェンスを更生する際において、かかる胴縁を取り外すことなく、格子網を容易に取り付けることが可能となり、既存のフェンスの侵入防止機能を容易に強化することが可能となる。
【００１６】
さらに、本発明では、この格子網や胴縁の取り付けが、敷地外から実行することができない構成とされているため、侵入防止機能をより向上させることが可能となる。
【発明を実施するための最良の形態】
【００１７】
以下、本発明の実施の形態について図面を参照しながら具体的に説明する。
【００１８】
図１,２は、本発明を適用したネットフェンス１を示している。ちなみに、この図１は、ネットフェンス１の正面図であり、図２は、ネットフェンス１の側面図である。
【００１９】
このネットフェンス１は、地表に適宜間隔で複数に亘り立設された支柱１１と、支柱１１上下に横架された胴縁１２,１３とを備え、図２に示す支柱１１の外側に取り付けられる格子網１５と、これと対になるようにして、既に取り付けられた既設の菱形の網目からなる金網１９とを備えている。ちなみに、このネットフェンス１は、図２に示す支柱１１に対して敷地内側に設けられた図示しない施設に対して、敷地外側から侵入者が侵入するのを防止するために配設されるものである。
【００２０】
支柱１１は、その下端１１ａをコンクリート製の既設基礎２１に固定させた鋼管である。この支柱１１は、この既設基礎２１から略鉛直方向に突設されてなり、その上端１１ｂが敷地外側へ折り曲げられている。ちなみに、この上端１１ｂは、敷地内側に折り曲げられていてもよい。また、この折り曲げられた支柱１１の上端１１ｂ間において、有刺鉄線２２を貼設させるようにしてもよい。なお、以下の説明では、この支柱１１の径を１０１ｍｍ程度で、また支柱１１の高さを３０５０ｍｍ以上で構成した場合を例にとる。
【００２１】
胴縁１２,１３は、互いに略水平方向へ向かって延長されてなり、それぞれ支柱１１に交差させてこれに取り付けられる。この胴縁１２は、支柱１１の上端１１ｂ付近において、また胴縁１３は、支柱１１の下端１１ａ付近において、互いに平行となるように取り付けられる。さらにこれら胴縁１２,１３は、支柱１１に対して敷地外側、敷地内側それぞれにおいて支柱１１を挟んで互いに対になるように取り付けられる。
【００２２】
図３(a),(b)は、胴縁１２,１３が敷地外側、敷地内側からそれぞれ取り付けられる支柱１１の詳細を示している。この図３に示すように、胴縁１２,１３は支柱１１の外周側面において当接された状態で、取付金具２４により固定される。この取付金具２４は、略Ｕ字状で構成された金具２４ａと、リング部２４ｂと、ナット２４ｃとを備えている。
【００２３】
金具２４ａは、胴縁１２,１３の外周の曲率に応じて折り曲げられた折り曲げ部と、この折り曲げ部から互いに平行に伸び、ナット２４ｃと螺合可能な脚部とが形成され、支柱１１に対して敷地外側から当接された状態にある胴縁１２,１３にこの折り曲げ部を嵌め込むようにしてこれを固定する。支柱１１には、この金具２４ａにおける脚部の径に応じた孔部２５が削孔されてなり、この孔部２５に金具２４ａの脚部を貫通させることにより、支柱１１に対して敷地内側へこれを突出させる。
【００２４】
リング部２４ｂは、金具２４ａにおける脚部の径や位置関係に応じたサイズの開口が形成されたいわゆるリング状の鋼製冶具である。このリング部２４ｂは、支柱１１の敷地内側から当接された状態にある胴縁１３表面に対してさらに当接されて構成される。このリング部２４ｂは、支柱１１の外側に突出させた金具２４ａにおける脚部をその開口から貫通させ、これにナット２４ｃを螺着させることにより、当接された胴縁１３に対して強固に固定することができる。また、これに応じて、胴縁１２,１３は、支柱１１に対してより強固に固定することが可能となる。
【００２５】
格子網１５は、図１に示すように水平方向へ配列させた縦線材１６と、鉛直方向へ配列させた横線材１７を互いに溶接させて構成されている。この格子網１５は、４．５ｍｍ径の鋼線からなる縦線材１６と横線材１７を利用し、さらに縦線材１６の間隔、横線材１７の間隔を狭小にすることで、侵入者がこれを簡単によじ登ることができないように構成されている。格子網１５は、それぞれ幅が４０ｍｍ、高さ１２５ｍｍの格子を配列することにより構成されるが、かかるサイズに限定されるものではない。
【００２６】
格子網１５は、上下に亘って分割されてなる。即ち、この格子網１５は、支柱１１上半分並びに胴縁１２へ取付可能な格子網１５ａと、支柱１１下半分並びに胴縁１３へ取付可能な格子網１５ｂとにより構成されている。
【００２７】
図４は、この上下に分割された格子網１５のうち、格子網１５ａの詳細な構成を示している。この格子網１５ａは、取り付けられる支柱１１に沿って上下方向に延長されている。また、この格子網１５ａの幅は、支柱１１の突設間隔に対応している。またこの格子網１５ａは、第１の折曲点３１において支柱１１の外側へ向かって折り曲げられ、さらに第２の折曲点３２において略鉛直方向へ向かって折り曲げられている。その結果、この格子網１５ａの上端が略鉛直方向に延長されることになる。ちなみに、この格子網１５ａの上端は、胴縁１２の上端より上方向へ突出させた高さで構成されていてもよい。一般にネットフェンス１をよじ登ろうとする侵入者は、この胴縁１２に手をかけてこれを越えようとするが、この格子網１５ａの上端を胴縁１２から突出させることにより、侵入者の手が胴縁１２にかかり難くすることが可能となり、侵入防止機能をより強化することが可能となる。
【００２８】
ここで第１の折曲点３１から第２の折曲点３２に至るまでの水平方向の間隔Ｌは、胴縁１２,１３の径に応じて調整されている。また、この第１の折曲点３１の高さは、胴縁１２と接触しないように、胴縁１２の配設位置よりも低い位置に設定されている。
【００２９】
図５は、第２の折曲点３２を省略した格子網１５の上端を示している。このように、第１の折曲点３１から支柱１１の外側に向かって折り曲げたのみで構成するようにしても上述と同様の効果を得ることが可能となる。
【００３０】
さらに、この格子網１５ａは、その下端近傍において第３の折曲点３３において支柱１１内部へ向けて直角に折り曲げられている。
【００３１】
格子網１５ｂについても、上述した格子網１５ａを上下反転させた構成として具現化されるものであるため、格子網１５ａの説明を引用することにより、以下での説明を省略する。
【００３２】
次に、互いに隣接する格子網１５を支柱１１上において取り付ける方法につき、図６(a),(b)を用いて説明をする。この図６(a),(b)に示すように、支柱１１に対する敷地内側において、互いに隣接する格子網１５を２枚重ねて当接させ、さらにその上から取付金具４１で押圧させてこれらを固定する。このとき、金網１９から支柱１１を貫通させ、さらにこの取付金具４１の表面から突出させたフックボルト４２に対してナット４３を螺着させることにより、この取付金具４１による押圧固定をより強固にすることが可能となる。
【００３３】
次に、この格子網１５を胴縁１２、１３へ取り付ける方法につき、図７を用いて説明をする。
【００３４】
第２の折曲点３２において略鉛直方向に延長されてきた金網１５を胴縁１２,１３の外周側面において当接させた状態で取付金具４４により固定する。この取付金具４４は、略Ｕ字状で構成された金具４４ａと、リング部４４ｂと、ナット４４ｃとを備えている。
【００３５】
金具４４ａは、胴縁１２,１３の外周の曲率に応じて折り曲げられた折り曲げ部と、この折り曲げ部から互いに平行に伸び、ナット４４ｃと螺合可能な脚部とが形成され、胴縁１２,１３にこの折り曲げ部を嵌め込むようにしてこれを固定する。
【００３６】
金具４４ａは、胴縁１２,１３の外周の曲率に応じて折り曲げられた折り曲げ部と、この折り曲げ部から互いに平行に伸び、ナット４４ｃと螺合可能な脚部とが形成され、胴縁１２,１３にこの折り曲げ部を嵌め込むようにしてこれを固定する。
【００３７】
リング部４４ｂは、胴縁１２,１３表面に当接されて構成される。このリング部４４ｂは、突出された金具４４ａにおける脚部をその開口から貫通させ、これにナット４４ｃを螺着させることにより、当接された胴縁１２,１３に対して強固に固定することができる。またこれに応じて、格子網１５は、胴縁１２,１３に対してより強固に固定することが可能となる。
【００３８】
また上下に分割された格子網１５ａ、１５ｂをそれぞれ連結させるためには、例えば図８に示すように、格子網１５ａにおける第３の折曲点３３において折り曲げられた下端５１と、格子網１５ｂにおける第３の折曲点３３において折り曲げられた上端５５とが互いに同一の高さとなるように隣接させ、これを平板５８により上下から挟み込んで固定することにより連結部５４を構成する。ちなみに、この平板５８は、ボルト５９並びにナット６０により上下方向から押圧固定され、これにより連結部５４を構成する下端５１と上端５５とが強固に固定されることになる。
【００３９】
このようにして支柱１１並びに胴縁１２,１３に格子網１５を取り付けたネットフェンス１は、これを金網で構成する場合と比較して、侵入防止機能をより向上させることが可能となる。
【００４０】
また、既に配設されたネットフェンスの侵入防止機能を高めるべく、支柱１１並びに胴縁１２,１３において敷地外側、敷地内側に金網が既に配設されていた場合において、敷地外側に配設された金網を取り外し、上述の如き格子網１５を取り付けることで、これを更生するネットフェンスの更生方法としても適用可能である。このとき、金網を取り外した後における支柱１１並びに胴縁１２,１３に対して、フックボルト４１や取付金具４４等を利用してこの格子網１５を容易に取り付けることができる。また、従来の如く、既設のフェンスの付け替え時において胴縁１２,１３を一緒に取り外す必要もなくなることから、余計な労力を費やす必要もなくなり、ひいては工事全体のコストを軽減させることも可能となる。
【００４１】
なお、本発明は、上述した実施の形態に限定されるものではない。図９は、支柱１１並びに胴縁１２，１３に対して敷地外側、敷地内側の双方につき格子網１５を取り付けるものである。かかる場合において、既設の金網は全て撤去し、敷地外側、敷地内側の双方から格子網１５を取り付けることになる。これによっても、同様に侵入防止機能を強化することが可能となる。
【００４２】
また、図１０は、支柱１１並びに胴縁１２，１３の敷地外側、敷地内側の何れか一方につき格子網１５を取り付けるものである。かかる場合において、既設の金網は、全て撤去して、敷地外側、敷地内側の何れか一方から格子網１５を取り付けることになる。これによっても、同様に侵入防止機能を強化することが可能となる。
【００４３】
さらに、上述した実施の形態では、あくまで格子網１５を上下に分割して構成する場合を例に挙げて説明をしたが、かかる場合に限定されるものではない。図１１は、格子網１５を分割することなく、一面で構成した例を示している。かかる場合には、格子網１５の上下端において第１の折曲点３１並びに第２の折曲点３２を設定し、上述の如き折り曲げ加工を施すことになる。これによっても同様に侵入防止機能を強化することができるのは勿論である。
【図面の簡単な説明】
【００４４】
【図１】本発明を適用したネットフェンスの正面図である。
【図２】本発明を適用したネットフェンスの側面図である。
【図３】本発明を適用したネットフェンスにおける支柱と胴縁の接続方法につき示す図である。
【図４】格子網につき説明するための図である。
【図５】格子網上端の変形例を示す図である。
【図６】格子網を支柱に取り付ける方法につき説明するための図である。
【図７】格子網を胴縁に取り付ける方法につき説明するための図である。
【図８】格子網の連結方法につき説明するための図である。
【図９】支柱並びに胴縁につき両側から格子網を取り付ける場合につき示す図である。
【図１０】支柱並びに胴縁の何れか一方から格子網１５を取り付ける場合につき示す図である。
【図１１】分割することなく一面で構成した格子網を示す図である。
【図１２】従来における侵入防止用フェンスの構成例につき示す図である。
【符号の説明】
【００４５】
１  ネットフェンス
１１  支柱
１２,１３  胴縁
１５  格子網
１６  縦線材
１７  横線材
２４  取付金具
２５  孔部
３１  第１の折曲点
３２  第２の折曲点
３３  第３の折曲点
【図１】
2006283325.tif 000003
【図２】
2006283325.tif 000004
【図３】
2006283325.tif 000005
【図４】
2006283325.tif 000006
【図５】
2006283325.tif 000007
【図６】
2006283325.tif 000008
【図７】
2006283325.tif 000009
【図８】
2006283325.tif 000010
【図９】
2006283325.tif 000011
【図１０】
2006283325.tif 000012
【図１１】
2006283325.tif 000013
【図１２】
2006283325.tif 000014